(57)【要約】【課題】使用者が電源スイッチボタンを容易に操作することができ、操作性を向上することができる体温計を提供する。【解決手段】体温計１は、筐体２と、筐体２の末端部１２に配置されて、押圧操作可能な電源スイッチボタン５を備え、電源スイッチボタン５は、指Ｆを押し当てるための表面部２０を有し、表面部２０の全体が、筐体２の末端部１２から突き出すようにして、筐体２の末端部１２に配置され、表面部２０には電源マーク２１が形成されている。【選択図】図４
2013192902.tif 000002
【特許請求の範囲】
【請求項１】
体温を測定する体温計であって、
筐体と、
前記筐体の末端部に配置されて、押圧操作可能な電源スイッチボタンと
を備え、
前記電源スイッチボタンは、指を押し当てるための表面部を有し、前記表面部の全体が、前記筐体の前記末端部から僅かに突き出するようにして、前記筐体の前記末端部に配置され、操作により前記末端部から出没する構成とされている
ことを特徴とする体温計。
【請求項２】
前記電源スイッチボタンは、前記表面部を有する扇型の本体部と、前記本体部の前記表面部とは反対側の裏面部から突き出して形成されている軸部とを有し、前記軸部に対応する前記表面部側の中央位置には、電源マークが形成されていることを特徴とする請求項１に記載の体温計。
【請求項３】
前記筐体は、長手方向に沿って形成された窪み形状の把持部分を有し、前記筐体の前記末端部には前記電源スイッチボタンを配置するための凹部が形成されており、前記凹部は前記把持部分に対応する位置に形成されていることを特徴とする請求項１または２に記載の体温計。
【発明の詳細な説明】
【技術分野】
【０００１】
本発明は、電源スイッチボタンを有する体温計に関する。
【背景技術】
【０００２】
体温計は、使用者の体温を計測するために、水銀体温計の形状を踏襲して細長い棒状の筐体を有し、筐体の先端部には体温を測定するための感温部を備えたものが一般的に知られている。体温計には、体温の測定結果を表示する表示部が設けられ、使用者が電源をオンオフ操作するための電源スイッチボタンが設けられている(特許文献１を参照)。
【先行技術文献】
【特許文献】
【０００３】
【特許文献１】特開２００７−６８８３９号公報
【発明の概要】
【発明が解決しようとする課題】
【０００４】
ところで、この種の体温計では、電源スイッチボタンが、体温計の筐体の末端部に設けられた凹部分の内部に配置されているものがある。この電源スイッチボタンは、使用者の指の腹部分を押し当てるための線状の凸形状部分を有しており、線状の凸形状部分だけが筐体の凹部分を形成している端部からわずかに突出している。
使用者は、指の腹部分をこの電源スイッチボタンの線状の凸形状部分に対して当てて強い接触圧で押さないと、筐体の凹部分を形成している末端部が邪魔になって、電源スイッチボタンを凹部分の奥まで押し難いので、電源スイッチボタンの操作性があまり良くない。しかも、使用者が、指の腹部分をこの電源スイッチボタンの線状の凸形状部分に対して強い接触圧で押す必要があるので、指に僅かな痛みを感じたり、不快な刺激を受けるおそれがある。このため、使用者が電源のオンオフ操作を容易に行えない。
そこで、本発明は、使用者が電源スイッチボタンを容易に操作することができ、操作性を向上することができる体温計を提供することを目的とする。
【課題を解決するための手段】
【０００５】
本発明の体温計は、体温を測定する体温計であって、筐体と、前記筐体の末端部に配置されて、押圧操作可能な電源スイッチボタンとを備え、前記電源スイッチボタンは、指を押し当てるための表面部を有し、前記表面部の全体が、前記筐体の前記末端部から僅かに突き出するようにして、前記筐体の前記末端部に配置され、操作により前記末端部から出没する構成とされていることを特徴とする。
上記構成によれば、使用者が電源スイッチボタンを容易に操作することができ、操作性を向上することができる。すなわち、電源スイッチボタンの表面部の全体が、筐体の末端部から突き出すようにして末端部に配置されているので、使用者は指で電源スイッチボタンの表面部を押す際に、筐体の末端部が邪魔にはならず、電源スイッチボタンを容易に押すことができるので、操作性が向上する。
【０００６】
好ましくは、前記電源スイッチボタンは、前記表面部を有する扇型の本体部と、前記本体部の前記表面部とは反対側の裏面部から突き出して形成されている軸部とを有し、前記軸部に対応する前記表面部側の中央位置には、電源マークが形成されていることを特徴とする。
上記構成によれば、電源スイッチボタンを成形する際に、軸部に対応する前記表面部側の中央位置にヒケにより窪みが万が一形成されたとしても、軸部に対応する表面部側の中央位置には、電源マークが形成されているので、窪みの視認性を下げることができる。
【０００７】
好ましくは、前記筐体は、長手方向に沿って形成された窪み形状の把持部分を有し、前記筐体の前記末端部には前記電源スイッチボタンを配置するための凹部が形成されており、前記凹部は前記把持部分に対応する位置に形成されていることを特徴とする。
上記構成によれば、電源スイッチボタンを配置するための凹部が把持部分に対応する位置に形成されているので、把持部分と電源スイッチボタンの外観デザイン上の連続性を得ることができ、見栄えが良好になる。
【発明の効果】
【０００８】
本発明は、使用者が電源スイッチボタンを容易に操作することができ、操作性を向上することができる体温計を提供することができる。
【図面の簡単な説明】
【０００９】
【図１】本発明の体温計の実施形態を示す斜視図。
【図２】図２（Ａ）は、図１に示す体温計の正面図であり、図２（Ｂ）は、図１に示す体温計の側面図である。図２（Ｃ）は、図１に示す体温計の背面図、そして図２（Ｄ）は、図１に示す体温計の末端部側を示す別の側面図。
【図３】筐体の第１ケース部分の先細りの先端部と感温部の構造例を示す図。
【図４】図４（Ａ）は、筐体の第２ケース部分の末端部と電源スイッチボタンを示す斜視図であり、図４（Ｂ）は、図４（Ａ）において第２ケース部分の末端部と電源スイッチボタンを矢印Ｓ方向から見た側面図であり、図４（Ｃ）は、第２ケース部分の末端部と電源スイッチボタンを示す側面図。
【図５】図５（Ａ）は、電源スイッチボタンを表面部側から見た斜視図であり、図５（Ｂ）は、電源スイッチボタンを裏面部側から見た斜視図、図５（Ｃ）は、電源スイッチボタンを示す平面図。
【図６】本発明の体温計の範囲外である比較例の体温計の構造を示す図。
【発明を実施するための形態】
【００１０】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明の体温計の実施形態を示す斜視図である。図２（Ａ）は、図１に示す体温計１の正面図であり、図２（Ｂ）は、図１に示す体温計１の側面図である。図２（Ｃ）は、図１に示す体温計１の背面図、そして図２（Ｄ）は、図１に示す体温計１の末端部１２を示す別の側面図である。
図１と図２に示す体温計１は、例えば脇下において予測式と実測式で検温する電子体温計であり、筐体２と、この筐体２に配置された表示部３と、感温部４と、電源スイッチボタン５を有している。
【００１１】
筐体２は、好ましくは耐水性、耐衝撃性、そして耐薬品性を有するプラスチックを成形することで作られているケース体であり、第１ケース部分６と第２ケース部分７を有している。第１ケース部分６の接続端部６Ｓと第２ケース部分７の接続端部７Ｓは、はめ合わせることで互いに固定されており、筐体２の内部は収納空間を形成している。この収納空間には、図１に示すように、演算制御部等の回路基板、ブザー、そして電池等を含む内部構造体４０が収容されている。
表示部３は、第１ケース部分６の上面６Ａに配置されている。表示部３は、例えば液晶表示装置を採用しており、数字や図形を表示可能である。この表示部３は、測定された体温をデジタル表示する他に、例えば電池の残量等をアイコン表示することができ、必要に応じてバックライトを有している。
【００１２】
図３は、第１ケース部分６の先細りの先端部６Ｄと感温部４の構造例を示している。
図１と図２に示す感温部４は、使用者の脇下に直接接触する部分であり、図３に示すように、第１ケース部分６の先細りの先端部６Ｄに設けられている。この感温部４は、第１ケース部分６の先端部６Ｐに固定された金属キャップ８と、金属キャップ８内に配置された温度センサ９を有している。金属キャップ８は、使用者の身体の一部、例えば脇下に直接接触する部分であり、熱を集めて温度センサ９に伝える。
この金属キャップ８は、例えばステンレス製の金属部材である。温度センサ９は体温の変化を電気信号の変化に変換する素子として、例えばサーミスタを用いているが、これに限らない。温度センサ９からの電気信号は、回路基板上の制御部１０に送られることで、制御部１０は電気信号を体温値に変換し、制御部１０は、体温値を図１の表示部３に、例えば３７．１℃として表示できるようになっている。電池ＢＡは、制御部１０とサーミスタ９に電源供給している。
【００１３】
図１と図２（Ａ）と図２（Ｂ）に示すように、筐体２の第１ケース部分６と第２ケース部分７の左右の側面部には、使用者が筐体２を指で把持しやすいように、窪み形状の把持部分１１，１１が形成されている。これらの把持部分１１，１１は、第２ケース部分７の末端部１２から第１ケース部分６の中間部分まで、筐体２の長手方向であるＸ方向に沿って連続して形成されており、図２（Ｄ）に示すように、ほぼＣ字型の断面を有している。これにより、使用者は、手の親指と人差し指をそれぞれ左右の把持部分１１，１１に当てて体温計１を持つことで、体温計１を落とさないようにして確実に把持して、感温部４を使用者の脇下に対して安定して直接接触することができる。
【００１４】
図２（Ｃ）に示すように、第１ケース部分６の裏面６Ｂには、Ｘ方向に沿って小さな突起部６Ｃが形成されている。この突起部６Ｃは、第１ケース部分６の先細りの先端部６Ｄと中間部６Ｅの間においてＺ方向に突出している。脇下を形成する上腕の内側と胸壁の間に体温計１を挟む場合に、突起部６Ｃは胸壁側に当てることで体温計１が脇下においてずれないようにする役割を有している。図１と図２におけるＸ方向とＹ方向とＺ方向は互いに直交しており、Ｘ方向は体温計１の長手方向であり、Ｙ方向は体温計１の幅方向であり、そしてＺ方向は体温計１の厚み方向である。
図２（Ｂ）に示すように、筐体２の第１ケース部分６と第２ケース部分７は、Ｘ方向に平行な長手方向の軸線Ｌ１を有している。第１ケース部分６の先端部６Ｄと感温部４は、好ましくはこの軸線Ｌ１に対して所定の角度θで傾斜した直線Ｌ２に沿って裏面６Ｂ側に向けてわずかに傾いて形成されている。これにより、使用者が上腕の内側と胸壁の間に体温計１を挟んで検温する際に、感温部４を脇下に当て易くしている。この角度θは、例えば数度程度である。
【００１５】
次に、図１と図２に示す電源スイッチボタン５について説明する。
図４（Ａ）は、筐体２の第２ケース部分７の末端部１２と電源スイッチボタン５を示す斜視図であり、図４（Ｂ）は、図４（Ａ）において第２ケース部分７の末端部１２と電源スイッチボタン５を矢印Ｓ方向から見た側面図であり、図４（Ｃ）は、第２ケース部分７の末端部１２と電源スイッチボタン５を示す側面図である。
また、図５（Ａ）は、電源スイッチボタン５を表面部２０側から見た斜視図であり、図５（Ｂ）は、電源スイッチボタン５を裏面部２４側から見た斜視図である。図５（Ｃ）は、電源スイッチボタン５を示す平面図である。
図４（Ａ）と図４（Ｂ）と図２（Ｄ）に示すように、第２ケース部分７の末端部１２には、ほぼ長方形状の凹部１３が形成されている。この凹部１３は、第２ケース部分７の末端部１２においてＸ２方向に向けて凹んだ形状であり、左右の把持部分１１，１１の始端部の位置に形成されている。第２ケース部分７の末端部１２は、図４（Ａ）の矢印Ｔから見てほぼ半円形状に形成されている。
【００１６】
図４（Ｂ）に示すように、電源スイッチボタン５は、例えばプラスチック成形されており、電源スイッチボタン５の色は、第２ケース部分７の色とは異なっている。これにより、使用者は、第２ケース部分７の末端部１２から電源スイッチボタン５の位置を視覚的に明確に区別できるので、使用者は電源スイッチボタン５をオンオフ操作し易くなる。
【００１７】
図４（Ａ）と図４（Ｂ）に示すように、電源スイッチボタン５は、第２ケース部分７の凹部１３にはめ込まれるようにして配置されている。第２ケース部分７の末端部１２は、表面側の縁部１４と裏面側の縁部１５を有している。表面側の縁部１４と裏面側の縁部１５は共にＸ１方向に向けて、ほぼ半円形状に突出して形成されているが、表面側の縁部１４は、裏面側の縁部１５に比べてＸ１方向にさらに突出して形成されている。凹部１３は、表面側の縁部１４と裏面側の縁部１５の間に形成されている。
図４（Ａ）と図４（Ｂ）に示すように、電源スイッチボタン５の表面部２０が、表面側の縁部１４と裏面側の縁部１５を結ぶ線Ｌ３からは、さらにＸ１方向に僅かに突出して位置されている。表面部２０の全体の領域が、筐体２の末端部１２の表面側の縁部１４と裏面側の縁部１５から、Ｘ１方向に突き出すようにして、電源スイッチボタン５が筐体２の末端部１２の凹部１３に配置されている。
【００１８】
ここで、図４（Ｃ）と図５（Ａ）から図５（Ｃ）を参照して、電源スイッチボタン５の好ましい形状例を説明する。
電源スイッチボタン５は、成形することにより、本体部２２と、軸部２３とを有している。図５（Ｃ）に示すように、本体部２２はほぼ扇形もしくは傘形状を有しており、表面部２０と裏面部２４と左右の端部２５，２６を有している。表面部２０は、Ｘ１方向に凸状になるように形成されており、表面部２０の中央位置２０Ｃには電源マーク２１が形成されている。裏面部２４は、Ｘ１方向に凹状になるように形成されている。図５（Ｃ）に示すように、本体部２２の中央位置２０Ｃの厚みＷ１が最も大きく、中央位置２０Ｃから左右の端部２５，２６の厚みＷ２に至るに従って、本体部２２の厚みが徐々に薄くなっている。図５（Ａ）と図５（Ｂ）に示すように、左右の端部２５，２６には段差部分２７，２８がそれぞれ形成されている。これらの段差部分２７，２８は、第２ケース部分７内の図示していない部分に突き当たることで、電源スイッチボタン５がＸ２方向へ直線移動する際の移動ストロークを規制する役割を果たす。
【００１９】
図５に示す電源スイッチボタン５の軸部２３は、本体部２２の裏面部２４の中心位置２０ＣからＸ２方向に向けて突出して一体的に形成されている。この軸部２３は、円柱部分２９と、円柱状の細径部分３０と、かみ合い部分３１を有している。円柱部分２９の直径とかみ合い部分３１の直径は、細径部分３０の直径に比べて大きくなっている。かみ合い部分３１は、２つの突起部３１Ａ，３１Ｂを有している。
図４（Ｃ）に示すように、第２ケース部分７の内部には隔壁部分３２が形成されている。この隔壁部分３２は貫通穴３３を有している。この貫通穴３３には、かみ合い部分３１をＸ２方向に押し込むことで、かみ合い部分３１の突起部３１Ａ，３１Ｂが互いに近づくことからかみ合い部分３１は貫通穴３３内をＸ２方向に通すことができる。そして、かみ合い部分３１が貫通穴３３からＸ１方向には抜けないようになっている。この結果、細径部分３０は、貫通穴３３に通っていることから、電源スイッチボタン５は、Ｘ２方向に沿って所定の移動ストロークＭＳ分だけ移動可能になっている。
【００２０】
図４（Ｃ）に示すように、内部構造体４０の端部４１が第１ケース部分６の接続端部６Ｓから露出している。内部構造体４０の端部４１には、電源をオンオフするための第１の電気端子４２と第２の電気端子４３が配置されている。第１の電気端子４２は、内部構造体４０の端部４１からＸ１方向に突出して設けられており、第１の電気端子４２はＸ２方向に弾性変形可能な金属製の片持ち型のスプリングである。第２の電気端子４３は、内部構造体４０の端部４１に沿って取り付けられている。軸部２３のかみ合い部分３１は、内部構造体４０の電気端子４２が突き当たっている。第１の電気端子４２と第２の電気端子４３は、図３に示す制御部１０に対して電気的に接続されており、第１の電気端子４２と第２の電気端子４３が電気的に接触する度に、オン信号あるいはオフ信号を与える。
【００２１】
図４（Ｃ）に示すように、電源スイッチボタン５の本体部２２の表面部２０は、第１ケース部分６と第２ケース部分７の軸線Ｌ１に対して傾斜して形成されている。詳しく説明すると、本体部２２の表面部２０の形成方向線Ｌ４は、第１ケース部分６と第２ケース部分７の軸線Ｌ１に対して所定角度Ｇで傾斜している。この所定角度Ｇは、好ましくは５°〜１０°であり、本実施形態では６．５°である。しかも、第２ケース部分７の末端部１２の表面側の縁部１４と裏面側の縁部１５を結ぶ方向線Ｌ３は、本体部２２の表面部２０の形成方向線Ｌ４と平行であるか、ほぼ平行である。このように、第２ケース部分７の末端部１２の結ぶ方向線Ｌ３と、本体部２２の表面部２０の形成方向線Ｌ４と平行であるか、ほぼ平行であり、しかも本体部２２の表面部２０の形成方向線Ｌ４が第１ケース部分６と第２ケース部分７の軸線Ｌ１に対して傾斜して形成されていることにより、体温計１の外観デザインを良好にして、体温計１は全体的に凸形状にすることができる。
図４（Ａ）から図４（Ｃ）に示すように、電源スイッチボタン５を押していない状態では、本体部２２の表面部２０の形成方向線Ｌ４は、第２ケース部分７の表面側の縁部１４と裏面側の縁部１５を結ぶ方向線Ｌ３から、所定の突出長さＤＨだけＸ１方向に向けて突出している。所定の突出長さＤＨは、好ましくは０．５ｍｍ〜２．０ｍｍであり、本実施形態では１．０ｍｍである。
【００２２】
上述した電源スイッチボタン５と第２ケース部分７の末端部１２の構造を採用することにより、図４（Ｃ）に示すように、使用者が指Ｆで電源スイッチボタン５の本体部２２の表面部２０をＸ２方向に押すことで、電源スイッチボタン５は、第２の電気端子４２の付勢力に抗して、所定のストローク分だけＸ２方向に移動する。このため、第２の電気端子４２の接点４２Ａが別の電気端子４３の接点４３Ａに電気的に接触することにより、電源オンの操作もしくは電源オフの操作を確実に行うことができる。
本発明の実施形態の体温計１では、このような電源スイッチボタン５の構造を採用して、電源スイッチボタン５の本体部２２の表面部２０の全体の領域に渡って、第２ケース部分７の表面側の縁部１４と裏面側の縁部１５からＸ１方向に突出している。このため、表面部２０は、電源スイッチボタン５のサイズの範囲内で使用者の指Ｆとの接触面積を最大限広げることができる。
【００２３】
図６は、本発明の体温計の範囲外である比較例の体温計の構造を示している。図６（Ａ）には、比較例の体温計１００の筐体の末端部１０１に設けられた電源スイッチボタン１０２を示し、図６（Ｂ）は、比較例の電源スイッチボタン１０２を示す斜視図である。
図６に示すように、比較例の電源スイッチボタン１０２の表面部１０３は、凹形状になっており、表面部１０３には、線状の突起部１０４が設けられている。この線状の突起部１０４だけがケースの末端部１０１から突出させる構造になっている。すなわち、突起部１０４の先端部を通る線Ｌ６は、筐体の末端部１０１を結ぶ線Ｌ５よりもＸ１方向に出てはいるが、突起部１０４を除く電源スイッチボタン１０２の表面部１０３の他の部分は、ケースの末端部１０１を結ぶ線Ｌ５よりもＸ２方向側に凹んで形成されている。
このため、使用者が比較例の電源スイッチボタン１０２をＸ２方向に押す際には、指Ｆは突起部１０４に押し当てることになるので指が痛くなり、比較例の電源スイッチボタン１０２をＸ２方向に強い力で押し込む必要がある。しかも、比較例の電源スイッチボタン１０２をＸ２方向に押す際に、指が筐体の末端部１０１に当たってしまうので、筐体の末端部１０１の存在が邪魔になって奥まで押せないおそれがある。
【００２４】
これに対して、図４と図５に示す本発明の実施形態の体温計１では、図４（Ｂ）と図４（Ｃ）に示すように、電源スイッチボタン５の表面部２０の全体の領域が、表面側の縁部１４と裏面側の縁部１５を結ぶ方向線Ｌ３からは、Ｘ１方向に飛び出して位置されている。すなわち、表面部２０の全体が、筐体２の末端部１２から突き出すようにして、筐体２の末端部１２に配置されている。このため、使用者が指Ｆで電源スイッチボタン５の表面部２０をＸ２方向に押す際に、指Ｆを表面部２０の広い領域に当てながら電源スイッチボタン５の表面部２０をＸ２方向に押すことができるので、比較例の場合に比べて指Ｆの接触圧を減らすことができる。このため、指Ｆの痛みや部分的な押圧力を減らすことができる。したがって、使用者が電源スイッチボタン５を容易に操作することができ、操作性を向上することができる。
【００２５】
しかも、すでに説明したように、図４（Ａ）から図４（Ｃ）において、電源スイッチボタン５を押していない状態では、本体部２２の表面部２０の形成方向線Ｌ４は、第２ケース部分７の表面側の縁部１４と裏面側の縁部１５を結ぶ方向線Ｌ３から所定の突出長さＤＨだけＸ１方向に向けて突出している。このため、図４（Ｃ）に示すように、使用者の指Ｆは、電源スイッチボタン５を、第２ケース部分７の表面側の縁部１４と裏面側の縁部１５に邪魔されること無く所定移動ストロークＭＳ分奥まで押すことができるので、使用者が電源スイッチボタン５を電源のオンオフ操作を容易に行うことができる。すなわち、電源スイッチボタン５の表面部２０の全体が、筐体２の末端部１２から突き出すようにして末端部１２に配置されているので、使用者は指Ｆで電源スイッチボタン５の表面部２０を押す際に、筐体２の末端部１２の表面側の縁部１４と裏面側の縁部１５の存在が邪魔にはならず、電源スイッチボタン５を４５０ｇｆ程度の力で容易に押すことができるので、操作性が向上する。電源スイッチボタン５の押圧は２００ｇｆ〜６００ｇｆの力で容易に押すことができることが好ましく、本実施形態では４５０ｇｆ程度としている。反対に２００ｇｆ未満の力でも容易に押されてしまうと、誤操作にも繋がるため、上記範囲が操作性という観点から好適であると言える。
【００２６】
ところで、図４と図５に示す電源スイッチボタン５の本体部２２の表面部２０は、全体的に曲面状に形成されており、使用者の指は表面部２０の全体に渡って接触させることができる。このため、電源スイッチボタン５の押圧時の操作感を向上できる。
図４と図５に示す電源スイッチボタン５をプラスチック成形する際に、軸部２３に対応する表面部２０の中央位置２０Ｃが、軸部２３側に引っ張られる現象、いわゆる「ヒケ」が発生して、表面部２０の中央位置２０Ｃにはわずかな窪みが生じるおそれがある。すなわち、本体部２２の形状がほぼ傘形状を有しており、成形時には冷却速度の差から薄肉部分である傘状の本体部２２が、肉厚部分である軸部２３により引っ張られて、「ヒケ」が発生することでわずかな窪みが生じるおそれがある。
しかし、表面部２０の中央位置２０Ｃには電源マーク２１が形成されているので、電源スイッチボタン５をプラスチック成形する際に、中央位置２０Ｃに万が一わずかな窪みが生じたとしても、「ヒケ」による窪みの視認性を下げることができる。このため、電源スイッチボタン５が「ヒケ」により不良品となってしまうのを防ぐことができ、電源スイッチボタン５の製造時の歩留まりが上がる。
【００２７】
また、図５（Ｂ）に示すように、本体部２２の裏面部２４側は、肉盗みをして、肉厚を薄くすることで、上述した表面部２０の中央位置の「ヒケ」現象を抑えることができる。しかも、図５（Ｂ）に示すように、電源スイッチボタン５をプラスチック成形する際に、成形用のゲートの位置は、通常行われているゲート位置Ｇ１から、例えば１ｍｍ程度本体部２２の裏面部２４側に移動したゲート位置Ｇ２に変更することで、上述した表面部２０の中央位置２０Ｃの「ヒケ」現象を抑えることができる。このように本体部２２の最も肉厚の部分側寄りの中央位置２０Ｃに近づくようにゲートＧ２の位置を移動することができる。なお、上述した表面部２０の中央位置２０Ｃの「ヒケ」現象を抑えるために、ゲート位置Ｇ２のゲート穴径は、ゲート位置Ｇ１のゲート穴径よりも大きくすることが望ましい。
【００２８】
また、図３に戻ると、金属キャップ８は筒状に形成されており、一端部の先端部８Ｔがほぼ半球状に形成され、他端部は円形の開放端部８Ｒになっている。この金属キャップ８内には、内面溝は形成されておらずスムーズな曲面になっており、しかも金属キャップ８の内面と第１ケース部分６の先端部６Ｐの間には、接合用のポッティング剤８Ｓが十分充填される。これにより、金属キャップ８と第１ケース部分６の先端部６Ｐとの間にはポッティング剤８Ｓをフル充填できるので、金属キャップ８は第１ケース部分６の先端部６Ｐに対して嵌合して固定する強度を上げることができる。また、ポッティング剤８Ｓはケース部分６Ｄの内部まで充填されるので、金属キャップ８から第１ケース部分６Ｄまでの曲げ強度を上げることができ、第１ケース部分６が折れてしまうのを防止することができる。
【００２９】
さらに、筐体２は、長手方向に沿って形成された窪み形状の把持部分１１，１１を有し、筐体２の末端部１２には電源スイッチボタン５を配置するための凹部１３が形成されており、この凹部１３は把持部分１１，１１に対応する位置に形成されている。このため、電源スイッチボタン５を配置するための凹部１３が把持部分１１，１１に対応する位置に形成されているので、把持部分１１，１１と電源スイッチボタン５の外観デザイン上の連続性を得ることができ、体温計１の見栄えが良好になる。
【００３０】
本発明は、上記実施形態に限定されず、特許請求の範囲を逸脱しない範囲で種々の変更を行うことができる。
本発明の実施形態の体温計１は、脇下で検温する構造を採用しているが、これに限らず、口あるいは耳で検温する構造を採用しても良い。また、本発明の体温計は、一般用の体温計であっても、女性用体温計であっても良い。
上記実施形態の各構成は、その一部を省略したり、上記とは異なるように任意に組み合わせることができる。
【符号の説明】
【００３１】
１・・・体温計、２・・・筐体、４・・・感温部、５・・・電源スイッチボタン、６・・・第１ケース部分、７・・・第２ケース部分、８・・・金属キャップ、１１・・・把持部分、１２・・・第２ケース部分の末端部、１３・・・長方形状の凹部、２０・・・電源スイッチボタンの表面部、２１・・・電源マーク、２４・・・電源スイッチボタンの裏面部
【図１】
2013192902.tif 000003
【図２】
2013192902.tif 000004
【図３】
2013192902.tif 000005
【図４】
2013192902.tif 000006
【図５】
2013192902.tif 000007
【図６】
2013192902.tif 000008